(57)【要約】  本発明の実施例は、経路選択方法、端末デバイス及びネットワークデバイスを提供し、この方法は、端末デバイスがネットワークデバイスにより送信された第１の指示情報を受信するステップと、この端末デバイスがこの第１の指示情報により指示される伝送経路上でこの特定のサービスを伝送するステップと、を含み、この第１の指示情報は、特定のサービスの伝送経路を指示するために使用され、この伝送経路はセルラー経路又はサイドリンク経路である。本発明は、通信性能の向上に有利である。
2021530171.tif 000002
【特許請求の範囲】
【請求項１】
端末デバイスがネットワークデバイスにより送信された第１の指示情報を受信するステップと、
前記端末デバイスが前記第１の指示情報により指示される伝送経路上で特定のサービスを伝送するステップと、を含み、
前記第１の指示情報は、前記特定のサービスの伝送経路を指示するために使用され、前記伝送経路はセルラー経路又はサイドリンク経路である
ことを特徴とする経路選択方法。
【請求項２】
前記ネットワークデバイスはコアネットワークデバイスであり、前記第１の指示情報は非アクセス層（ＮＡＳ）シグナリングで搬送される
ことを特徴とする請求項１に記載の経路選択方法。
【請求項３】
前記コアネットワークデバイスはアクセス及びモビリティ管理機能（ＡＭＦ）である
ことを特徴とする請求項２に記載の経路選択方法。
【請求項４】
前記ネットワークデバイスはアクセスネットワークデバイスである
ことを特徴とする請求項１に記載の経路選択方法。
【請求項５】
前記第１の指示情報は無線リソース制御（ＲＲＣ）シグナリングで搬送される
ことを特徴とする請求項４に記載の経路選択方法。
【請求項６】
前記第１の指示情報はサービスデータ適応プロトコル（ＳＤＡＰ）シグナリングで搬送される
ことを特徴とする請求項４に記載の経路選択方法。
【請求項７】
前記第１の指示情報は、前記特定のサービスのサービス品質フロー識別子を通じて前記特定のサービスの伝送経路を指示する
ことを特徴とする請求項１〜５のいずれか１項に記載の経路選択方法。
【請求項８】
前記第１の指示情報は、前記特定のサービスの送信元アドレス、宛先アドレス、送信元ポート番号、宛先ポート番号、使用されるプロトコル、プロバイダサービス識別子（ＰＳＩＤ）／インテリジェント交通システムアプリケーション識別子（ＩＴＳ−ＡＩＤ）、車両環境での無線アクセス（ＷＳＭＰ）ヘッダフィールド、地理的ネットワークヘッダフィールド、及び基本伝送プロトコル（ＢＴＰ）ヘッダフィールドのうちの少なくとも１つの情報を通じて前記特定のサービスの伝送経路を指示する
ことを特徴とする請求項１〜５のいずれか１項に記載の経路選択方法。
【請求項９】
ネットワークデバイスが特定のサービスの伝送経路を決定するステップと、
ネットワークデバイスが端末デバイスに第１の指示情報を送信するステップと、を含み、
前記伝送経路はセルラー経路又はサイドリンク経路であり、前記第１の指示情報は、前記伝送経路を指示するために使用される
ことを特徴とする経路選択方法。
【請求項１０】
前記ネットワークデバイスはコアネットワークデバイスであり、前記第１の指示情報は非アクセス層（ＮＡＳ）シグナリングで搬送される
ことを特徴とする請求項９に記載の経路選択方法。
【請求項１１】
前記コアネットワークデバイスはアクセス及びモビリティ管理機能（ＡＭＦ）である
ことを特徴とする請求項１０に記載の経路選択方法。
【請求項１２】
前記ＡＭＦがセッション管理機能（ＳＭＦ）により送信された第２の指示情報を受信するステップをさらに含み、
前記第２の指示情報は、前記端末デバイスに前記第１の指示情報を送信するように前記ＡＭＦに指示するために使用される
ことを特徴とする請求項１１に記載の経路選択方法。
【請求項１３】
前記ネットワークデバイスはアクセスネットワークデバイスである
ことを特徴とする請求項９に記載の経路選択方法。
【請求項１４】
前記第１の指示情報は無線リソース制御（ＲＲＣ）シグナリングで搬送される
ことを特徴とする請求項１３に記載の経路選択方法。
【請求項１５】
前記アクセスネットワークデバイスがアクセス及びモビリティ管理機能（ＡＭＦ）により送信された第２の指示情報を受信するステップをさらに含み、
前記第２の指示情報は、前記端末デバイスに前記第１の指示情報を送信するように前記アクセスネットワークデバイスに指示するために使用される
ことを特徴とする請求項１４に記載の経路選択方法。
【請求項１６】
前記第１の指示情報はサービスデータ適応プロトコル（ＳＤＡＰ）シグナリングで搬送される
ことを特徴とする請求項１３に記載の経路選択方法。
【請求項１７】
前記アクセスネットワークデバイスがユーザプレーン機能（ＵＰＦ）により送信された第２の指示情報を受信するステップをさらに含み、
前記第２の指示情報は、前記端末デバイスに前記第１の指示情報を送信するように前記アクセスネットワークデバイスに指示するために使用される
ことを特徴とする請求項１６に記載の経路選択方法。
【請求項１８】
前記第２の指示情報は、セッション管理機能（ＳＭＦ）の指示により送信される
ことを特徴とする請求項１５又は１７に記載の経路選択方法。
【請求項１９】
前記第１の指示情報は、前記特定のサービスの送信元アドレス、宛先アドレス、送信元ポート番号、宛先ポート番号、使用されるプロトコル、プロバイダサービス識別子（ＰＳＩＤ）／インテリジェント交通システムアプリケーション識別子（ＩＴＳ−ＡＩＤ）、車両環境での無線アクセス（ＷＳＭＰ）ヘッダフィールド、地理的ネットワークヘッダフィールド、及び基本伝送プロトコル（ＢＴＰ）ヘッダフィールドのうちの少なくとも１つの情報を通じて前記特定のサービスの伝送経路を指示する
ことを特徴とする請求項９〜１８のいずれか１項に記載の経路選択方法。
【請求項２０】
前記第１の指示情報は、前記特定のサービスのサービス品質フロー識別子を通じて前記特定のサービスの伝送経路を指示する
ことを特徴とする請求項９〜１８のいずれか１項に記載の経路選択方法。
【請求項２１】
前記ネットワークデバイスが端末デバイスに第１の指示情報を送信する前に、
前記ネットワークデバイスが前記特定のサービスの送信元アドレス、宛先アドレス、送信元ポート番号、宛先ポート番号、使用されるプロトコル、プロバイダサービス識別子（ＰＳＩＤ）／インテリジェント交通システムアプリケーション識別子（ＩＴＳ−ＡＩＤ）、車両環境での無線アクセス（ＷＳＭＰ）ヘッダフィールド、地理的ネットワークヘッダフィールド、及び基本伝送プロトコル（ＢＴＰ）ヘッダフィールドのうちの少なくとも１つの情報を前記特定のサービスのサービス品質フロー識別子にマッピングするステップをさらに含む
ことを特徴とする請求項２０に記載の経路選択方法。
【請求項２２】
ネットワークデバイスにより送信された第１の指示情報を受信し、前記第１の指示情報により指示される伝送経路上で特定のサービスを伝送するための送受信ユニットを備え、
前記第１の指示情報は、前記特定のサービスの伝送経路を指示するために使用され、前記伝送経路はセルラー経路又はサイドリンク経路である
ことを特徴とする端末デバイス。
【請求項２３】
前記ネットワークデバイスはコアネットワークデバイスであり、前記第１の指示情報は非アクセス層（ＮＡＳ）シグナリングで搬送される
ことを特徴とする請求項２２に記載の端末デバイス。
【請求項２４】
前記コアネットワークデバイスはアクセス及びモビリティ管理機能（ＡＭＦ）である
ことを特徴とする請求項２３に記載の端末デバイス。
【請求項２５】
前記ネットワークデバイスはアクセスネットワークデバイスである
ことを特徴とする請求項２２に記載の端末デバイス。
【請求項２６】
前記第１の指示情報は無線リソース制御（ＲＲＣ）シグナリングで搬送される
ことを特徴とする請求項２５に記載の端末デバイス。
【請求項２７】
前記第１の指示情報はサービスデータ適応プロトコル（ＳＤＡＰ）シグナリングで搬送される
ことを特徴とする請求項２５に記載の端末デバイス。
【請求項２８】
前記第１の指示情報は、前記特定のサービスのサービス品質フロー識別子を通じて前記特定のサービスの伝送経路を指示する
ことを特徴とする請求項２２〜２７のいずれか１項に記載の端末デバイス。
【請求項２９】
前記第１の指示情報は、前記特定のサービスの送信元アドレス、宛先アドレス、送信元ポート番号、宛先ポート番号、使用されるプロトコル、プロバイダサービス識別子（ＰＳＩＤ）／インテリジェント交通システムアプリケーション識別子（ＩＴＳ−ＡＩＤ）、車両環境での無線アクセス（ＷＳＭＰ）ヘッダフィールド、地理的ネットワークヘッダフィールド、及び基本伝送プロトコル（ＢＴＰ）ヘッダフィールドのうちの少なくとも１つの情報を通じて前記特定のサービスの伝送経路を指示する
ことを特徴とする請求項２２〜２７のいずれか１項に記載の端末デバイス。
【請求項３０】
特定のサービスの伝送経路を決定するための処理ユニットと、
端末デバイスに第１の指示情報を送信するための送受信ユニットと、を備え、
前記伝送経路はセルラー経路又はサイドリンク経路であり、前記第１の指示情報は、前記伝送経路を指示するために使用される
ことを特徴とするネットワークデバイス。
【請求項３１】
前記ネットワークデバイスはコアネットワークデバイスであり、前記第１の指示情報は非アクセス層（ＮＡＳ）シグナリングで搬送される
ことを特徴とする請求項３０に記載のネットワークデバイス。
【請求項３２】
前記コアネットワークデバイスはアクセス及びモビリティ管理機能（ＡＭＦ）である
ことを特徴とする請求項３１に記載のネットワークデバイス。
【請求項３３】
前記送受信ユニットはさらに、
セッション管理機能（ＳＭＦ）により送信された第２の指示情報を受信するために使用され、前記第２の指示情報は、前記端末デバイスに前記第１の指示情報を送信するように  前記ＡＭＦに指示するために使用される
ことを特徴とする請求項３２に記載のネットワークデバイス。
【請求項３４】
前記ネットワークデバイスはアクセスネットワークデバイスである
ことを特徴とする請求項３０に記載のネットワークデバイス。
【請求項３５】
前記第１の指示情報は無線リソース制御（ＲＲＣ）シグナリングで搬送される
ことを特徴とする請求項３４に記載のネットワークデバイス。
【請求項３６】
前記送受信ユニットはさらに、
アクセス及びモビリティ管理機能（ＡＭＦ）により送信された第２の指示情報を受信するために使用され、前記第２の指示情報は、前記端末デバイスに前記第１の指示情報を送信するように前記アクセスネットワークデバイスに指示するために使用される
ことを特徴とする請求項３５に記載のネットワークデバイス。
【請求項３７】
前記第１の指示情報はサービスデータ適応プロトコル（ＳＤＡＰ）シグナリングで搬送される
ことを特徴とする請求項３４に記載のネットワークデバイス。
【請求項３８】
前記送受信ユニットはさらに、
ユーザプレーン機能（ＵＰＦ）により送信された第２の指示情報を受信するために使用され、前記第２の指示情報は、前記端末デバイスに前記第１の指示情報を送信するように  前記アクセスネットワークデバイスに指示するために使用される
ことを特徴とする請求項３７に記載のネットワークデバイス。
【請求項３９】
前記第２の指示情報は、セッション管理機能（ＳＭＦ）の指示により送信される
ことを特徴とする請求項３６又は３８に記載のネットワークデバイス。
【請求項４０】
前記第１の指示情報は、前記特定のサービスの送信元アドレス、宛先アドレス、送信元ポート番号、宛先ポート番号、使用されるプロトコル、プロバイダサービス識別子（ＰＳＩＤ）／インテリジェント交通システムアプリケーション識別子（ＩＴＳ−ＡＩＤ）、車両環境での無線アクセス（ＷＳＭＰ）ヘッダフィールド、地理的ネットワークヘッダフィールド、及び基本伝送プロトコル（ＢＴＰ）ヘッダフィールドのうちの少なくとも１つの情報を通じて前記特定のサービスの伝送経路を指示する
ことを特徴とする請求項３０〜３９のいずれか１項に記載のネットワークデバイス。
【請求項４１】
前記第１の指示情報は、前記特定のサービスのサービス品質フロー識別子を通じて前記特定のサービスの伝送経路を指示する
ことを特徴とする請求項３０〜３９のいずれか１項に記載のネットワークデバイス。
【請求項４２】
前記処理ユニットはさらに、
前記特定のサービスの送信元アドレス、宛先アドレス、送信元ポート番号、宛先ポート番号、使用されるプロトコル、プロバイダサービス識別子（ＰＳＩＤ）／インテリジェント交通システムアプリケーション識別子（ＩＴＳ−ＡＩＤ）、車両環境での無線アクセス（ＷＳＭＰ）ヘッダフィールド、地理的ネットワークヘッダフィールド、及び基本伝送プロトコル（ＢＴＰ）ヘッダフィールドのうちの少なくとも１つの情報を前記特定のサービスのサービス品質フロー識別子にマッピングするために使用される
ことを特徴とする請求項４１に記載のネットワークデバイス。
【請求項４３】
プロセッサー及びメモリを備え、このメモリは、コンピュータプログラムを格納するために使用され、前記プロセッサーは、前記メモリに格納されたコンピュータプログラムを呼び出して実行し、請求項１〜８のいずれか１項に記載の経路選択方法を実行するために使用される
ことを特徴とする端末デバイス。
【請求項４４】
プロセッサー及びメモリを備え、このメモリは、コンピュータプログラムを格納するために使用され、前記プロセッサーは、前記メモリに格納されたコンピュータプログラムを呼び出して実行し、請求項９〜２１のいずれか１項に記載の経路選択方法を実行するために使用される
ことを特徴とするネットワークデバイス。
【請求項４５】
チップであって、
メモリからコンピュータプログラムを呼び出して実行し、前記チップが搭載されたデバイスに請求項１〜８のいずれか１項に記載の経路選択方法を実行させるためのプロセッサーを備える
ことを特徴とするチップ。
【請求項４６】
チップであって、
メモリからコンピュータプログラムを呼び出して実行し、前記チップが搭載されたデバイスに請求項９〜２１のいずれか１項に記載の経路選択方法を実行させるためのプロセッサーを備える
ことを特徴とするチップ。
【請求項４７】
コンピュータプログラムを格納するために使用され、前記コンピュータプログラムは、コンピュータに請求項１〜８のいずれか１項に記載の経路選択方法を実行させる
ことを特徴とするコンピュータ読み取り可能な記録媒体。
【請求項４８】
コンピュータプログラムを格納するために使用され、前記コンピュータプログラムは、コンピュータに請求項９〜２１のいずれか１項に記載の経路選択方法を実行させる
ことを特徴とするコンピュータ読み取り可能な記録媒体。
【請求項４９】
コンピュータプログラム命令を含み、このコンピュータプログラム命令は、コンピュータに請求項１〜８のいずれか１項に記載の経路選択方法を実行させる
ことを特徴とするコンピュータプログラム製品。
【請求項５０】
コンピュータプログラム命令を含み、このコンピュータプログラム命令は、コンピュータに請求項９〜２１のいずれか１項に記載の経路選択方法を実行させる
ことを特徴とするコンピュータプログラム製品。
【請求項５１】
コンピュータに請求項１〜８のいずれか１項に記載の経路選択方法を実行させる
ことを特徴とするコンピュータプログラム。
【請求項５２】
コンピュータに請求項９〜２１のいずれか１項に記載の経路選択方法を実行させる
ことを特徴とするコンピュータプログラム。
【発明の詳細な説明】
【関連出願の相互参照】
【０００１】
本願は、２０１８年７月１９日に中国特許庁に提出された、出願番号が２０１８１０７９８８８５．２であって、発明の名称が「経路選択方法、端末デバイス及びネットワークデバイス」である中国特許出願に基づき優先権を主張し、当該中国特許出願の内容のすべてを本願に援用する。
【技術分野】
【０００２】
本発明の実施例は、通信の技術分野に関し、特に経路選択方法、端末デバイス及びネットワークデバイスに関する。
【背景技術】
【０００３】
車両インターネットシステムは、ロングタームエボリューション−端末直接接続（Ｌｏｎｇ  Ｔｅｒｍ  Ｅｖｏｌｕｔｉｏｎ−Ｄｅｖｉｃｅ  ｔｏ  Ｄｅｖｉｃｅ：ＬＴＥ−Ｄ２Ｄ）に基づくサイドリンク（Ｓｉｄｅｌｉｎｋ：ＳＬ）伝送技術であり、通信データが基地局を介して受信又は送信される従来のＬＴＥシステム方式とは異なり、車両インターネットシステムは、端末間直接通信の方式を使用するため、スペクトル効率がより高く、伝送遅延がより低い。したがって、車両インターネットシステムには、（１）基地局を介して受送信する伝送経路と、（２）端末間で直接通信する経路と、の２つの伝送経路がある。端末デバイスがこれら２つの経路上で如何にサービスを伝送するかは、解決すべき問題である。
【発明の概要】
【０００４】
本発明の実施例は、通信性能の向上に有利な経路選択方法、端末デバイス及びネットワークデバイスを提供する。
【０００５】
第１の態様によれば、経路選択方法が提供され、この方法は、端末デバイスがネットワークデバイスにより送信された第１の指示情報を受信するステップと、この端末デバイスがこの第１の指示情報により指示される伝送経路上で特定のサービスを伝送するステップと、を含み、この第１の指示情報は、この特定のサービスの伝送経路を指示するために使用され、この伝送経路はセルラー経路又はサイドリンク経路である。
【０００６】
第２の態様によれば、経路選択方法が提供され、この方法は、ネットワークデバイスが特定のサービスの伝送経路を決定するステップと、ネットワークデバイスが端末デバイスに第１の指示情報を送信するステップと、を含み、この伝送経路はセルラー経路又はサイドリンク経路であり、この第１の指示情報は、この伝送経路を指示するために使用される。
【０００７】
第３の態様によれば、上記の第１の態様又はその各実現形態における方法を実行するための端末デバイスが提供される。
【０００８】
具体的に、この端末デバイスは、上記の第１の態様又はその各実現形態における方法を実行するための機能モジュールを備える。
【０００９】
第４の態様によれば、上記の第２の態様又はその各実現形態における方法を実行するためのネットワークデバイスが提供される。
【００１０】
具体的に、このネットワークデバイスは、上記の第２の態様又はその各実現形態における方法を実行するための機能モジュールを備える。
【００１１】
第５の態様によれば、プロセッサー及びメモリを備える端末デバイスが提供される。このメモリは、コンピュータプログラムを格納するために使用され、このプロセッサーは、このメモリに格納されたコンピュータプログラムを呼び出して実行し、上記の第１の態様又はその各実現形態における方法を実行するために使用される。
【００１２】
第６の態様によれば、プロセッサー及びメモリを備えるネットワークデバイスが提供される。このメモリは、コンピュータプログラムを格納するために使用され、このプロセッサーは、このメモリに格納されたコンピュータプログラムを呼び出して実行し、上記の第２の態様又はその各実現形態における方法を実行するために使用される。
【００１３】
第７の態様によれば、上記の第１の態様〜第２の態様のいずれかの態様又はその各実現形態における方法を実現するためのチップが提供される。
【００１４】
具体的に、このチップは、メモリからコンピュータプログラムを呼び出して実行し、このチップが搭載されたデバイスに上記の第１の態様〜第２の態様のいずれかの態様又はその各実現形態における方法を実行させるためのプロセッサーを備える。
【００１５】
第８の態様によれば、コンピュータプログラムを格納するためのコンピュータ読み取り可能な記録媒体が提供され、このコンピュータプログラムは、コンピュータに上記の第１の態様〜第２の態様のいずれかの態様又はその各実現形態における方法を実行させる。
【００１６】
第９の態様によれば、コンピュータプログラム命令を含むコンピュータプログラム製品が提供され、このコンピュータプログラム命令は、コンピュータに上記の第１の態様〜第２の態様のいずれかの態様又はその各実現形態における方法を実行させる。
【００１７】
第１０の態様によれば、コンピュータ上で実行されるときに、コンピュータに上記の第１の態様〜第２の態様のいずれかの態様又はその各実現形態における方法を実行させるコンピュータプログラムが提供される。
【００１８】
上記の技術案により、端末デバイスは、ネットワークデバイスにより指示される経路上で特定のサービスを伝送することができ、サービスの伝送に適切な経路を選択するのにさらに有利であり、これにより、通信性能を向上させることができる。
【図面の簡単な説明】
【００１９】
【図１】本発明の実施例に提供されるサイドリンク通信システムの概略図である。
【図２】本発明の実施例に提供されるサイドリンク通信システムの概略図である。
【図３】本発明の実施例に提供される経路選択方法の概略フローチャートである。
【図４】本発明の実施例に提供されるアプリケーションのネットワークアーキテクチャの概略図である。
【図５】本発明の実施例に提供される端末デバイスの概略ブロック図である。
【図６】本発明の実施例に提供されるネットワークデバイスの概略ブロック図である。
【図７】本発明の実施例に提供される端末デバイスの別の概略ブロック図である。
【図８】本発明の実施例に提供されるネットワークデバイスの別の概略ブロック図である。
【図９】本発明の実施例に提供されるチップの概略ブロック図である。
【図１０】本発明の実施例に提供される通信システムの概略ブロック図である。
【発明を実施するための形態】
【００２０】
以下、本発明の実施例における図面を参照しながら、本発明の実施例における技術案について説明する。なお、説明される実施例は、本発明の一部の実施例に過ぎず、すべての実施例ではない。当業者が本発明の実施例に基づいて、創造的な労働をしていない前提で獲得する他のすべての実施例は、本発明の保護範囲に属する。
【００２１】
本発明の実施例に係る技術案は、グローバルモバイル通信（Ｇｌｏｂａｌ  Ｓｙｓｔｅｍ  ｏｆ  Ｍｏｂｉｌｅ  ｃｏｍｍｕｎｉｃａｔｉｏｎ：ＧＳＭ）システム、符号分割多元接続（Ｃｏｄｅ  Ｄｉｖｉｓｉｏｎ  Ｍｕｌｔｉｐｌｅ  Ａｃｃｅｓｓ：ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ：ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ：ＧＰＲＳ）、ロングタームエボリューション（Ｌｏｎｇ  Ｔｅｒｍ  Ｅｖｏｌｕｔｉｏｎ：ＬＴＥ）システム、ＬＴＥ周波数分割複信（Ｆｒｅｑｕｅｎｃｙ  Ｄｉｖｉｓｉｏｎ  Ｄｕｐｌｅｘ：ＦＤＤ）システム、ＬＴＥ時分割複信（Ｔｉｍｅ  Ｄｉｖｉｓｉｏｎ  Ｄｕｐｌｅｘ：ＴＤＤ）、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：ＵＭＴＳ）、グローバル相互接続マイクロ波アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ：ＷｉＭＡＸ）通信システム又は５Ｇシステム等の様々な通信システムに適用できる。
【００２２】
例示的に、本発明の実施例に適用される通信システムは、ネットワークデバイスを含んでもよく、ネットワークデバイスは、端末デバイス（又は通信端末、端末と呼ばれる）と通信するデバイスであってもよい。ネットワークデバイスは、特定の地域的領域に通信カバレッジを提供することができ、このカバレッジ領域内の端末デバイスと通信することができる。選択的に、このネットワークデバイスは、ＧＳＭシステム又はＣＤＭＡシステムにおける基地局（Ｂａｓｅ  Ｔｒａｎｓｃｅｉｖｅｒ  Ｓｔａｔｉｏｎ：ＢＴＳ）であってもよいし、ＷＣＤＭＡシステムにおける基地局（ＮｏｄｅＢ：ＮＢ）であってもよく、また、ＬＴＥシステムにおける進化型基地局（Ｅｖｏｌｕｔｉｏｎａｌ  Ｎｏｄｅ  Ｂ：ｅＮＢ又はｅＮｏｄｅＢ）、又はクラウド無線アクセスネットワーク（Ｃｌｏｕｄ  Ｒａｄｉｏ  Ａｃｃｅｓｓ  Ｎｅｔｗｏｒｋ：ＣＲＡＮ）における無線コントローラであってもよく、又はこのネットワークデバイスは、モバイルスイッチングセンター、中継局、アクセスポイント、車載デバイス、ウェアラブルデバイス、ハブ、スイッチ、ブリッジ、ルーター、５Ｇネットワークにおけるネットワーク側デバイス、又は将来進化する公衆陸上移動通信ネットワーク（Ｐｕｂｌｉｃ  Ｌａｎｄ  Ｍｏｂｉｌｅ  Ｎｅｔｗｏｒｋ：ＰＬＭＮ）におけるネットワークデバイス等であってもよい。
【００２３】
本発明の実施例に適用される通信システムは、ネットワークデバイスのカバレッジ内の少なくとも１つの端末デバイスをさらに含む。ここで使用される「端末デバイス」は、ユーザ機器（Ｕｓｅｒ  Ｅｑｕｉｐｍｅｎｔ：ＵＥ）、アクセス端末、ユーザユニット、ユーザ局、移動局、モバイルステーション、遠隔局、遠隔端末、モバイルデバイス、ユーザ端末、端末、無線通信デバイス、ユーザエージェント、又はユーザ装置を含むが、これらに限定されない。アクセス端末は、携帯電話、コードレス電話、セッション確立プロトコル（Ｓｅｓｓｉｏｎ  Ｉｎｉｔｉａｔｉｏｎ  Ｐｒｏｔｏｃｏｌ：ＳＩＰ）電話、無線ロカールループ（Ｗｉｒｅｌｅｓｓ  Ｌｏｃａｌ  Ｌｏｏｐ：ＷＬＬ）局、携帯情報端末（Ｐｅｒｓｏｎａｌ  Ｄｉｇｉｔａｌ  Ａｓｓｉｓｔａｎｔ：ＰＤＡ）、無線通信機能のあるハンドヘルドデバイス、計算デバイス又は無線モデムに接続する他の処理デバイス、車載デバイス、ウェアラブルデバイス、将来の５Ｇネットワークにおける端末デバイス又は将来進化する公衆陸上移動通信ネットワーク（Ｐｕｂｌｉｃ  Ｌａｎｄ  Ｍｏｂｉｌｅ  Ｎｅｔｗｏｒｋ：ＰＬＭＮ）における端末デバイス等であってもよく、本発明の実施例はこれを限定しない。
【００２４】
選択的に、５Ｇシステム又は５Ｇネットワークは、新無線（Ｎｅｗ  Ｒａｄｉｏ：ＮＲ）システム又はＮＲネットワークと呼ばれることもある。
【００２５】
選択的に、端末デバイス間で端末直接接続（Ｄｅｖｉｃｅ  ｔｏ  Ｄｅｖｉｃｅ：Ｄ２Ｄ）通信を行うことができる。例示的に、図１及び図２は、本発明の実施例に係る１つの応用シナリオの概略図である。図中、１つのネットワークデバイス及び２つの端末デバイスを例示的に示しており、選択的に、この無線通信システムは、複数のネットワークデバイスを含んでもよく、各ネットワークデバイスは、カバレッジ内に他の数の端末デバイスを含んでもよく、本発明の実施例はこれを限定しない。さらに、この無線通信システムは、モビリティ管理エンティティ（Ｍｏｂｉｌｅ  Ｍａｎａｇｅｍｅｎｔ  Ｅｎｔｉｔｙ：ＭＭＥ）、サービングゲートウェイ（Ｓｅｒｖｉｎｇ  Ｇａｔｅｗａｙ：Ｓ−ＧＷ）、パケットデータネットワークゲートウェイ（Ｐａｃｋｅｔ  Ｄａｔａ  Ｎｅｔｗｏｒｋ  Ｇａｔｅｗａｙ：Ｐ−ＧＷ）等の他のネットワークエンティティをさらに含んでもよいが、本発明の実施例はこれらに限定されない。
【００２６】
具体的に、端末デバイス２０と端末デバイス３０は、Ｄ２Ｄ通信モードで通信することができ、Ｄ２Ｄ通信を行う場合、端末デバイス２０と端末デバイス３０は、Ｄ２Ｄリンク、即ちサイドリンクを介して直接通信する。図１又は図２に示すように、端末デバイス２０と端末デバイス３０は、サイドリンクを介して直接通信する。図１では、端末デバイス２０と端末デバイス３０とは、サイドリンクを介して通信し、その伝送リソースは、ネットワークデバイス１０により割り当てられる。図２では、端末デバイス２０と端末デバイス３０とは、サイドリンクを介して通信し、その伝送リソースは端末デバイスにより自律的に選択され、ネットワークデバイスにより伝送リソースを割り当てる必要はない。
【００２７】
Ｄ２Ｄ通信モードは、ビークルツービークル（Ｖｅｈｉｃｌｅ  ｔｏ  Ｖｅｈｉｃｌｅ：Ｖ２Ｖ）通信又はビークルツーエブリシング（Ｖｅｈｉｃｌｅ  ｔｏ  Ｅｖｅｒｙｔｈｉｎｇ：Ｖ２Ｘ）通信に適用できる。Ｖ２Ｘ通信では、Ｘは通常、無線送受信能力を備えた任意のデバイスを指してもよく、例えば、低速で移動する無線装置、高速で移動する車載デバイス、又は無線送受信能力を備えたネットワーク制御ノード等があるが、これらに限定されない。本発明の実施例は、主にＶ２Ｘ通信のシナリオに適用されるが、他の任意のＤ２Ｄ通信シナリオにも適用でき、本発明の実施例はこれを限定しないことを理解されたい。
【００２８】
図３は、本発明の実施例に係る経路選択方法１００の概略フローチャートを示す。この方法１００は、以下の内容の一部又は全部を含む。
【００２９】
Ｓ１１０：ネットワークデバイスが特定のサービスの伝送経路を決定し、前記伝送経路はセルラー経路又はサイドリンク経路である。
【００３０】
Ｓ１２０：ネットワークデバイスが端末デバイスに第１の指示情報を送信し、前記第１の指示情報は、前記伝送経路を指示するために使用される。
【００３１】
Ｓ１３０：端末デバイスがネットワークデバイスにより送信された第１の指示情報を受信し、前記第１の指示情報は、前記伝送経路を指示するために使用される。
【００３２】
Ｓ１４０：前記端末デバイスが前記第１の指示情報により指示される伝送経路上で前記特定のサービスを伝送する。
【００３３】
車両インターネットシステムでは、端末デバイスは、ネットワークデバイスと端末デバイスの間の伝送経路であるセルラー経路と、端末デバイスと端末デバイスの間の伝送経路であるサイドリンク経路と、を含む２つの伝送経路を介してサービスを送信することができ、セルラー経路とは、即ちＵｕインターフェースを使用することであり、サイドリンク経路は、ＰＣ５インターフェースを使用し、ネットワークデバイスは、端末デバイスに伝送しようとするサービスがあることを知ると、伝送されるサービスに応じて、セルラー経路を使用するか、又はサイドリンク経路を使用するかを決定することができる。なお、ここでいう特定のサービスとは、特別なサービスを指すものではなく、特定のタイプのサービス、つまり、幾つかの共通の特徴を持つサービスを指す。この特定のサービスは、送信元アドレス、宛先アドレス等のようにサービス属性に従って分類できる。ネットワークデバイスは伝送されるサービスの伝送経路を決定した後、ネットワークデバイスはさらに、端末デバイスに指示することができ、例えば、端末デバイスに第１の指示情報を送信することができ、この指示情報は、ネットワークデバイスにより決定された伝送経路を明示的又は暗黙的に指示することができる。端末デバイスは、この第１の指示情報を受信した後、まずこれによりセルラー経路を使用するか、又はサイドリンク経路を使用するかを決定し、さらに、決定した伝送経路で伝送されるサービスを送信することができる。
【００３４】
したがって、本発明の実施例に提供される経路選択方法によれば、端末デバイスは、ネットワークデバイスにより指示される経路上で特定のサービスを伝送することができ、サービスの伝送に適切な経路を選択するのにさらに有利である。
【００３５】
選択的に、本発明の実施例では、このネットワークデバイスはコアネットワークデバイスであってもよく、或いは、端末デバイスは、コアネットワークデバイスにより発行された第１の指示情報を受信することができ、例えば、第１の指示情報は非アクセス層（Ｎｏｎ  ａｃｃｅｓｓ  ｓｔｒａｔｕｍ：ＮＡＳ）シグナリングで搬送される。このコアネットワークデバイスは、各通信システムにおけるコアネットワークデバイスであってもよい。例えば、４Ｇシステムにおけるコアネットワークモビリティ管理エンティティ（Ｍｏｂｉｌｉｔｙ  Ｍａｎａｇｅｍｅｎｔ  Ｅｎｔｉｔｙ：ＭＭＥ）であってもよいし、５Ｇシステムにおけるアクセス及びモビリティ管理機能（Ａｃｃｅｓｓ  ａｎｄ  Ｍｏｂｉｌｉｔｙ  Ｍａｎａｇｅｍｅｎｔ  Ｆｕｎｃｔｉｏｎ：ＡＭＦ）等であってもよいし、既存の通信システムにおけるコアネットワークデバイスと同じ又は類似の機能を備えたデバイスであってもよいし、将来の通信システムに登場するコアネットワークと同じ又は類似の機能を備えたデバイスであってもよい。
【００３６】
選択的に、本発明の実施例では、このネットワークデバイスはアクセスネットワークデバイスであってもよく、或いは、端末デバイスは、アクセスネットワークデバイスにより発行された第１の指示情報を受信することができ、第１の指示情報は、無線リソース制御（Ｒａｄｉｏ  Ｒｅｓｏｕｒｃｅ  Ｃｏｎｔｒｏｌ：ＲＲＣ）シグナリング、メディアアクセス制御（Ｍｅｄｉａ  Ａｃｃｅｓｓ  Ｃｏｎｔｒｏｌ：ＭＡＣ）、ダウンリンク制御情報（Ｄｏｗｎｌｉｎｋ  Ｃｏｎｔｒｏｌ  Ｉｎｆｏｒｍａｔｉｏｎ：ＤＣＩ）等の、アクセスネットワークデバイスにより発行された情報で搬送される。例えば、ネットワークデバイスは、様々なサービスに対応する伝送経路をＲＲＣシグナリングを介して端末デバイスに構成することができ、端末デバイスは、どのサービスを伝送するかを決定した後、構成された対応関係に従って１つの経路を選択して伝送することができる。別の例として、ネットワークデバイスは、端末デバイスにより伝送されるサービスを決定した後、このサービス用に１つの伝送経路を選択し、選択された伝送経路をＤＣＩシグナリングを通じて端末デバイスに指示することもできる。このアクセスネットワークデバイスは、各通信システムにおけるアクセスネットワークデバイスであってもよい。例えば、４ＧシステムにおけるｅＮＢであってもよく、５ＧシステムにおけるｇＮＢ等であってもよい。
【００３７】
選択的に、このネットワークデバイスがアクセスネットワークデバイスである場合、第１の指示情報はサービスデータ適応プロトコル（Ｓｅｒｖｉｃｅ  Ｄａｔａ  Ａｄａｐｔａｔｉｏｎ  Ｐｒｏｔｏｃｏｌ：ＳＤＡＰ）シグナリングで搬送されてもよい。
【００３８】
理解を容易にするために、まず５Ｇにおけるネットワークアーキテクチャを導入する。図４に示すネットワークアーキテクチャでは、基地局はアクセスネットワークデバイスであり、ＵＥをネットワークにアクセスさせることを担当し、この基地局は、例えば、５Ｇにおける基地局ｇＮＢであってもよい。ＡＭＦは、制御プレーンのモビリティ及びアクセス管理を担当するネットワーク要素であり、ユーザプレーン機能（Ｕｓｅｒ  Ｐｌａｎｅ  Ｆｕｎｃｔｉｏｎ：ＵＰＦ）は、ユーザプレーンを担当するネットワーク要素である。セッション管理機能（Ｓｅｓｓｉｏｎ  Ｍａｎａｇｅｍｅｎｔ  Ｆｕｎｃｔｉｏｎ：ＳＭＦ）は、ＡＭＦと情報を交換することができ、例えば、ＳＭＦは、ＡＭＦからアクセスネットワークデバイスの情報を取得することができる。
【００３９】
選択的に、本発明の実施例では、第１の指示情報は、ＡＭＦデバイスによりＵＥに直接送信されてもよい。選択的に、ＳＭＦは、ＵＥにこの第１の指示情報を送信するようにＡＭＦをトリガーすることができ、例えば、ＳＭＦは、ＡＭＦに第２の指示情報を送信することができ、この第２の指示情報は、ＵＥに第１の指示情報を送信するようにＡＭＦに指示することができる。選択的に、ＡＭＦは、ＳＭＦにより送信された第１の指示情報をＵＥに転送することができる。例えば、ＳＭＦは、この第１の指示情報をＡＭＦに送信することができ、ＡＭＦは、この第１の指示情報をＵＥに転送することができる。
【００４０】
選択的に、本発明の実施例では、第１の指示情報は、ｇＮＢによりＵＥに直接送信されてもよい。選択的に、ＡＭＦは、ＵＥにこの第１の指示情報を送信するようにｇＮＢをトリガーすることができ、例えば、ＡＭＦは、ｇＮＢに第２の指示情報を送信することができ、この第２の指示情報は、ＵＥに第１の指示情報を送信するようにｇＮＢに指示することができる。さらに、このＡＭＦは、ＳＭＦのトリガーの下でｇＮＢに第２の指示情報を送信することができる。選択的に、ｇＮＢは、ＡＭＦにより送信された第１の指示情報をＵＥに転送することができる。例えば、ＡＭＦは、この第１の指示情報をｇＮＢに送信することができ、ｇＮＢは、この第１の指示情報をＵＥに転送することができる。選択的に、この第１の指示情報は、ＳＭＦにより送信され、ＡＭＦ及びｇＮＢを介してＵＥに転送されてもよい。
【００４１】
選択的に、本発明の実施例では、第１の指示情報は、ｇＮＢによりＵＥに直接送信されてもよい。選択的に、ＵＰＦは、ＵＥにこの第１の指示情報を送信するようにｇＮＢをトリガーすることができ、例えば、ＵＰＦは、ｇＮＢに第２の指示情報を送信することができ、この第２の指示情報は、ＵＥに第１の指示情報を送信するようにｇＮＢに指示することができる。さらに、このＵＰＦは、ＳＭＦのトリガーの下でｇＮＢに第２の指示情報を送信することができる。選択的に、ｇＮＢは、ＵＰＦにより送信された第１の指示情報をＵＥに転送することができる。例えば、ＵＰＦは、この第１の指示情報をｇＮＢに送信することができ、ｇＮＢは、この第１の指示情報をＵＥに転送することができる。選択的に、この第１の指示情報は、ＳＭＦにより送信され、ＵＰＦ及びｇＮＢを介してＵＥに転送されてもよい。
【００４２】
５Ｇ通信システムを例として説明する本発明の上記の実施例は、他の通信システムにも適用でき、５Ｇ＋４Ｇデュアル接続シナリオ等にも適用でき、本発明の実施例はこれに対する限定を構成しないことを理解されたい。
【００４３】
一可能な実施例において、第１の指示情報は、サービスの識別子を通じてサービスの伝送経路を指示する。例えば、サービス品質フロー識別子（Ｑｕａｌｉｔｙ  ｏｆ  Ｓｅｒｖｉｃｅ  ｆｌｏｗ  Ｉｄｅｎｔｉｔｙ：ＱｏＳ  ｆｌｏｗ  ＩＤ）を通じて前記特定のサービスの伝送経路を指示することができる。異なるサービスは、異なるＱｏＳ  ｆｌｏｗ  ＩＤを持つことができ、ネットワークデバイスは、ＱｏＳ  ｆｌｏｗ  ＩＤに従ってサービスを２つのカテゴリに分類でき、１つはセルラー経路を使用し、もう１つはサイドリンク経路を使用する。そして、このような分類関係を端末デバイスに通知し、ネットワークデバイスは、第１の指示情報を通じて現在のサービスのＱｏＳ  ｆｌｏｗ  ＩＤを端末デバイスに通知することができ、さらに、端末デバイスは、現在のサービスのＱｏＳ  ｆｌｏｗ  ＩＤに従って、サービスの伝送にどの伝送経路を使用するかを決定することができる。
【００４４】
別の可能な実施例において、第１の指示情報は、前記特定のサービスの送信元アドレス、宛先アドレス、送信元ポート番号、宛先ポート番号、使用されるプロトコル（例えば、ＩＰプロトコル等）、プロバイダサービス識別子（Ｐｒｏｖｉｄｅｒ  Ｓｅｒｖｉｃｅ  Ｉｄｅｎｔｉｆｉｅｒ：ＰＳＩＤ）／インテリジェント交通システムアプリケーション識別子（Ｉｎｔｅｌｌｉｇｅｎｔ  Ｔｒａｎｓｐｏｒｔａｔｉｏｎ  Ｓｙｓｔｅｍｓ  Ａｐｐｌｉｃａｔｉｏｎ  Ｉｄｅｎｔｉｆｉｅｒ：ＩＴＳ−ＡＩＤ）、車両環境での無線アクセス（Ｗｉｒｅｌｅｓｓ  Ａｃｃｅｓｓ  ｉｎ  Ｖｅｈｉｃｕｌａｒ  Ｅｎｖｉｒｏｎｍｅｎｔｓ：ＷＳＭＰ）ヘッダフィールド、地理的ネットワーク（Ｇｅｏｎｅｔｗｏｒｋｉｎｇ）ヘッダフィールド、及び基本伝送プロトコル（Ｂａｓｉｃ  Ｔｒａｎｓｐｏｒｔ  Ｐｒｏｔｏｃｏｌ：ＢＴＰ）ヘッダフィールドのうちの少なくとも１つの情報を通じて前記特定のサービスの伝送経路を指示することができる。ネットワークデバイスは、上記の少なくとも１つの情報に従ってサービスを２つのカテゴリに分類でき、１つはセルラー経路を使用し、もう１つはサイドリンク経路を使用する。そして、このような分類関係を端末デバイスに通知し、ネットワークデバイスは、第１の指示情報を通じて現在のサービスの上記の少なくとも１つの情報を端末デバイスに通知することができ、さらに、端末デバイスは、現在のサービスの上記の少なくとも１つの情報に従って、サービスの伝送にどの伝送経路を使用するかを決定することができる。ここで、宛先アドレス及び送信元アドレスは、送信元ネットワークプロトコル（Ｉｎｔｅｒｎｅｔ  Ｐｒｏｔｏｃｏｌ：ＩＰ）アドレス及び宛先ＩＰアドレスであってもよいし、レイヤ２の送信元アドレス及び宛先アドレスであってもよいし、Ｇｅｏｎｅｔｗｏｒｋｉｎｇヘッダフィールドにおける送信元ノード（Ｓｏｕｒｃｅ  Ｎｏｄｅ）及び宛先ノード（Ｄｅｓｔｉｎａｔｉｏｎ  Ｎｏｄｅ）等であってもよい。
【００４５】
例えば、ＷＳＭＰヘッダフィールドには、４ｂｉｔｓの予約ビット、４ｂｉｔｓのバージョンビット、及び１〜４バイトのＰＳＩＤ／ＩＴＳ−ＡＩＤが含まれる。第１の指示情報は、上記の各ビットフィールドで運ばれることができる。この第１の指示情報は、端末デバイスに発行された現在のサービスのＷＳＭＰであってもよく、予約ビットを使用して、具体的にセルラー経路が使用されるか、又はサイドリンク経路が使用されるかを指示することができる。例えば、１ビットの予約ビットを使用し、ビット１はセルラー経路を表し、ビット０はサイドリンク経路を表す。又は、異なるサービスのＰＳＩＤが異なるため、ネットワークデバイスは、ＰＳＩＤに従ってサービスを２つのカテゴリに分類して端末デバイスに通知し、現在のサービスのＰＳＩＤを運ぶＷＳＭＰを端末デバイスに送信してもよく、端末デバイスは、このＷＳＭＰヘッダフィールドから現在のサービスのＰＳＩＤを取得し、分類関係に従って、使用される伝送経路を決定することができる。
【００４６】
選択的に、ネットワークデバイスは、まず上記の少なくとも１つの情報をＱｏＳ  ｆｌｏｗ  ＩＤにマッピングしてもよく、端末デバイスは、ＱｏＳ  ｆｌｏｗ  ＩＤと伝送経路の間の対応関係を通じて、第１の指示情報により指示される現在のサービスのＱｏＳ  ｆｌｏｗ  ＩＤに対応する伝送経路を知ることができ、さらに、この伝送経路上でこのサービスを伝送することができる。
【００４７】
選択的に、上記の例は、様々な暗黙の指示方式を説明しており、ネットワークデバイスは、現在のサービスの伝送経路を明示的に指示することもできる。つまり、ネットワークデバイスは、まず現在のサービスの伝送経路を決定し、指示情報を通じて、決定された伝送経路を直接指示することができる。例えば、ＲＲＣシグナリング内のあるビットフィールドを通じて指示することができ、このビットフィールドが１の場合、セルラー経路を指示すると見なすことができ、このビットフィールドが０の場合、サイドリンク経路を指示すると見なすことができる。本発明の実施例はこの例に限定されるべきではない。
【００４８】
本発明の各実施例では、上記の各プロセスの番号の大きさは、実行する前後順序を意味するものではなく、各プロセスの実行順序は、その機能及び内部論理により決定されるべきであり、本発明の実施例に係る実施プロセスに対するいかなる限定も構成すべきではないことを理解されたい。
【００４９】
以上、本発明の実施例に係る経路選択方法を詳細に説明しており、以下は、図５〜図８を参照しながら、本発明の実施例に係る経路選択装置を説明し、方法の実施例で説明された技術的特徴は下記の装置の実施例に適用される。
【００５０】
図５は、本発明の実施例に係る端末デバイス２００の概略ブロック図を示す。図５に示すように、この端末デバイス２００は、
ネットワークデバイスにより送信された第１の指示情報を受信し、この第１の指示情報により指示される伝送経路上で特定のサービスを伝送するための送受信ユニット２１０を備え、この第１の指示情報は、この特定のサービスの伝送経路を指示するために使用され、この伝送経路はセルラー経路又はサイドリンク経路である。
【００５１】
選択的に、本発明の実施例では、このネットワークデバイスはコアネットワークデバイスであり、この第１の指示情報は非アクセス層ＮＡＳシグナリングで搬送される。
【００５２】
選択的に、本発明の実施例では、このコアネットワークデバイスはアクセス及びモビリティ管理機能ＡＭＦである。
【００５３】
選択的に、本発明の実施例では、このネットワークデバイスはアクセスネットワークデバイスである。
【００５４】
選択的に、本発明の実施例では、この第１の指示情報は無線リソース制御ＲＲＣシグナリングで搬送される。
【００５５】
選択的に、本発明の実施例では、この第１の指示情報はサービスデータ適応プロトコルＳＤＡＰシグナリングで搬送される。
【００５６】
選択的に、本発明の実施例では、この第１の指示情報は、この特定のサービスのサービス品質フロー識別子を通じてこの特定のサービスの伝送経路を指示する。
【００５７】
選択的に、本発明の実施例では、この第１の指示情報は、この特定のサービスの送信元ＩＰアドレス、宛先ＩＰアドレス、送信元ポート番号、宛先ポート番号、使用されるプロトコル、プロバイダサービス識別子ＰＳＩＤ／インテリジェント交通システムアプリケーション識別子ＩＴＳ−ＡＩＤ、宛先アドレス、送信元アドレス、車両環境での無線アクセスＷＳＭＰヘッダフィールド、地理的ネットワークヘッダフィールド、及び基本伝送プロトコルＢＴＰヘッダフィールドのうちの少なくとも１つの情報を通じてこの特定のサービスの伝送経路を指示する。
【００５８】
本発明の実施例に係る端末デバイス２００は、本発明の方法の実施例における端末デバイスに対応でき、端末デバイス２００内の各ユニットの上記及び他の動作及び／又は機能は、それぞれ図３の方法における端末デバイスの対応するフローを実現するために使用され、簡潔にするため、ここで詳細な説明を省略することを理解されたい。
【００５９】
図６は、本発明の実施例に係るネットワークデバイス３００の概略ブロック図を示す。図６に示すように、このネットワークデバイス３００は、
特定のサービスの伝送経路を決定するための処理ユニット３１０と、
端末デバイスに第１の指示情報を送信するための送受信ユニット３２０と、を備え、
前記伝送経路はセルラー経路又はサイドリンク経路であり、前記第１の指示情報は、前記伝送経路を指示するために使用される。
【００６０】
選択的に、本発明の実施例では、前記ネットワークデバイスはコアネットワークデバイスであり、前記第１の指示情報は非アクセス層ＮＡＳシグナリングで搬送される。
【００６１】
選択的に、本発明の実施例では、前記コアネットワークデバイスはアクセス及びモビリティ管理機能ＡＭＦである。
【００６２】
選択的に、本発明の実施例では、前記送受信ユニットはさらに、セッション管理機能ＳＭＦにより送信された第２の指示情報を受信するために使用され、前記第２の指示情報は、前記端末デバイスに前記第１の指示情報を送信するように前記ＡＭＦに指示するために使用される。
【００６３】
選択的に、本発明の実施例では、前記ネットワークデバイスはアクセスネットワークデバイスである。
【００６４】
選択的に、本発明の実施例では、前記第１の指示情報は無線リソース制御ＲＲＣシグナリングで搬送される。
【００６５】
選択的に、本発明の実施例では、前記送受信ユニットはさらに、アクセス及びモビリティ管理機能ＡＭＦにより送信された第２の指示情報を受信するために使用され、前記第２の指示情報は、前記端末デバイスに前記第１の指示情報を送信するように前記アクセスネットワークデバイスに指示するために使用される。
【００６６】
選択的に、本発明の実施例では、前記第１の指示情報はサービスデータ適応プロトコルＳＤＡＰシグナリングで搬送される。
【００６７】
選択的に、本発明の実施例では、前記送受信ユニットはさらに、ユーザプレーン機能ＵＰＦにより送信された第２の指示情報を受信するために使用され、前記第２の指示情報は、前記端末デバイスに前記第１の指示情報を送信するように前記アクセスネットワークデバイスに指示するために使用される。
【００６８】
選択的に、本発明の実施例では、前記第２の指示情報は、セッション管理機能ＳＭＦの指示により送信される。
【００６９】
選択的に、本発明の実施例では、前記第１の指示情報は、前記特定のサービスの送信元ＩＰアドレス、宛先ＩＰアドレス、送信元ポート番号、宛先ポート番号、使用されるプロトコル、プロバイダサービス識別子ＰＳＩＤ／インテリジェント交通システムアプリケーション識別子ＩＴＳ−ＡＩＤ、宛先アドレス、送信元アドレス、車両環境での無線アクセスＷＳＭＰヘッダフィールド、地理的ネットワークヘッダフィールド、及び基本伝送プロトコルＢＴＰヘッダフィールドのうちの少なくとも１つの情報を通じて前記特定のサービスの伝送経路を指示する。
【００７０】
選択的に、本発明の実施例では、前記第１の指示情報は、前記特定のサービスのサービス品質フロー識別子を通じて前記特定のサービスの伝送経路を指示する。
【００７１】
選択的に、本発明の実施例では、前記処理ユニットはさらに、前記特定のサービスの送信元ＩＰアドレス、宛先ＩＰアドレス、送信元ポート番号、宛先ポート番号、使用されるプロトコル、プロバイダサービス識別子ＰＳＩＤ／インテリジェント交通システムアプリケーション識別子ＩＴＳ−ＡＩＤ、宛先アドレス、送信元アドレス、車両環境での無線アクセスＷＳＭＰヘッダフィールド、地理的ネットワークヘッダフィールド、及び基本伝送プロトコルＢＴＰヘッダフィールドのうちの少なくとも１つの情報を前記特定のサービスのサービス品質フロー識別子にマッピングするために使用される。
【００７２】
本発明の実施例に係るネットワークデバイス３００は、本発明の方法の実施例におけるネットワークデバイスに対応でき、ネットワークデバイス３００内の各ユニットの上記及び他の動作及び／又は機能は、それぞれ図３の方法におけるネットワークデバイスの対応するフローを実現するために使用され、簡潔にするため、ここで詳細な説明を省略することを理解されたい。
【００７３】
図７に示すように、本発明の実施例によれば、端末デバイス４００がさらに提供され、この端末デバイス４００は、図５の端末デバイス２００であってもよく、図３の方法１００に対応する端末デバイスの内容を実行するために使用することができる。図７に示す端末デバイス４００はプロセッサー４１０を備え、プロセッサー４１０は、メモリからコンピュータプログラムを呼び出して実行し、本発明の実施例における方法を実現することができる。
【００７４】
選択的に、図７に示すように、端末デバイス４００はメモリ４２０をさらに備えてもよい。ここで、プロセッサー４１０は、メモリ４２０からコンピュータプログラムを呼び出して実行し、本発明の実施例における方法を実現することができる。
【００７５】
ここで、メモリ４２０は、プロセッサー４１０から独立した１つの別個のデバイスであってもよく、プロセッサー４１０に統合されてもよい。
【００７６】
選択的に、図７に示すように、端末デバイス４００は送受信機４３０をさらに備えてもよく、プロセッサー４１０は、他のデバイスと通信するようにこの送受信機４３０を制御することができ、具体的に、他のデバイスに情報又はデータを送信するか、又は他のデバイスにより送信された情報又はデータを受信することができる。
【００７７】
ここで、送受信機４３０は送信機及び受信機を含んでもよい。送受信機４３０はアンテナをさらに備えてもよく、アンテナの数は１つ又は複数であってもよい。
【００７８】
選択的に、この端末デバイス４００は、本発明の実施例に係る端末デバイスであってもよく、この端末デバイス４００は、本発明の実施例に係る各方法において端末デバイスにより実現される対応するフローを実現することができ、簡潔にするため、ここで詳細な説明を省略する。
【００７９】
一具体的な実施形態では、端末デバイス３００内の送受信ユニットは、図７の送受信機４３０により実現されることができる。
【００８０】
図８に示すように、本発明の実施例によれば、ネットワークデバイス５００がさらに提供され、このネットワークデバイス５００は、図６のネットワークデバイス３００であってもよく、図３の方法１００に対応するネットワークデバイスの内容を実行するために使用することができる。図８に示すネットワークデバイス５００はプロセッサー５１０を備え、プロセッサー５１０は、メモリからコンピュータプログラムを呼び出して実行し、本発明の実施例における方法を実現することができる。
【００８１】
選択的に、図８に示すように、ネットワークデバイス５００はメモリ５２０をさらに備えてもよい。ここで、プロセッサー５１０は、メモリ５２０からコンピュータプログラムを呼び出して実行し、本発明の実施例における方法を実現することができる。
【００８２】
ここで、メモリ５２０は、プロセッサー５１０から独立した１つの別個のデバイスであってもよく、又はプロセッサー５１０に統合されてもよい。
【００８３】
選択的に、図８に示すように、ネットワークデバイス５００は送受信機５３０をさらに備えてもよく、プロセッサー５１０は、他のデバイスと通信するようにこの送受信機５３０を制御することができ、具体的に、他のデバイスに情報又はデータを送信するか、又は他のデバイスにより送信された情報又はデータを受信することができる。
【００８４】
ここで、送受信機５３０は送信機及び受信機を含んでもよい。送受信機５３０はアンテナをさらに備えてもよく、アンテナの数は１つ又は複数であってもよい。
【００８５】
選択的に、このネットワークデバイス５００は、本発明の実施例に係るネットワークデバイスであってもよく、このネットワークデバイス５００は、本発明の実施例に係る各方法においてネットワークデバイスにより実現される対応するフローを実現することができ、簡潔にするため、ここで詳細な説明を省略する。
【００８６】
一具体的な実施形態では、ネットワークデバイス３００内の処理ユニットは、図８のプロセッサー５１０により実現されることができる。ネットワークデバイス３００内の送受信ユニットは、図８の送受信機５３０により実現されることができる。
【００８７】
図９は、本発明の実施例に係るチップの概略構造図である。図９に示すチップ６００はプロセッサー６１０を備え、プロセッサー６１０は、メモリからコンピュータプログラムを呼び出して実行し、本発明の実施例における方法を実現することができる。
【００８８】
選択的に、図９に示すように、チップ６００はメモリ６２０をさらに備えてもよい。ここで、プロセッサー６１０は、メモリ６２０からコンピュータプログラムを呼び出して実行し、本発明の実施例における方法を実現することができる。
【００８９】
ここで、メモリ６２０は、プロセッサー６１０から独立した１つの別個のデバイスであってもよく、又はプロセッサー６１０に統合されてもよい。
【００９０】
選択的に、このチップ６００は入力インターフェース６３０をさらに備えてもよい。ここで、プロセッサー６１０は、他のデバイス又はチップと通信するようにこの入力インターフェース６３０を制御することができ、具体的に、他のデバイス又はチップにより送信された情報又はデータを取得することができる。
【００９１】
選択的に、このチップ６００は出力インターフェース６４０をさらに備えてもよい。ここで、プロセッサー６１０は、他のデバイス又はチップと通信するようにこの出力インターフェース６４０を制御することができ、具体的に、他のデバイス又はチップに情報又はデータを出力することができる。
【００９２】
選択的に、このチップは、本発明の実施例におけるネットワークデバイスに適用でき、このチップは、本発明の実施例に係る各方法においてネットワークデバイスにより実現される対応するフローを実現することができ、簡潔にするため、ここで詳細な説明を省略する
選択的に、このチップは、本発明の実施例における端末デバイスに適用でき、このチップは、本発明の実施例に係る各方法において端末デバイスにより実現される対応するフローを実現することができ、簡潔にするため、ここで詳細な説明を省略する。
【００９３】
本発明の実施例で言及されるチップは、システムレベルチップ、システムチップ、チップシステム、又はシステムオンチップ等と呼ばれることもあることを理解されたい。
【００９４】
図１０は、本発明の実施例に提供される通信システム７００の概略ブロック図である。図１０に示すように、この通信システム７００は、端末デバイス７１０及びネットワークデバイス７２０を含む。
【００９５】
ここで、この端末デバイス７１０は、上記の方法において端末デバイスにより実現される対応する機能を実現するために使用でき、及びこのネットワークデバイス７２０は、上記の方法においてネットワークデバイスにより実現される対応する機能を実現するために使用でき、簡潔にするため、ここで詳細な説明を省略する。
【００９６】
本発明の実施例に係るプロセッサーは、信号処理能力のある集積回路チップであってもよいことを理解されたい。実現プロセスでは、上記の方法の実施例の各ステップは、プロセッサーにおけるハードウェアの集積論理回路又はソフトウェアの形の命令により完了することができる。上記のプロセッサーは、汎用プロセッサー、デジタル信号プロセッサー（Ｄｉｇｉｔａｌ  Ｓｉｇｎａｌ  Ｐｒｏｃｅｓｓｏｒ：ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ：ＦＰＧＡ）又は他のプログラマブル論理デバイス、個別ゲート又はトランジスタ論理デバイス、個別ハードウェアコンポーネントであってもよく、本発明の実施例において開示された各方法、ステップ、及び論理ブロック図を実現又は実行することができる。汎用プロセッサーはマイクロプロセッサーであってもよく、又は、このプロセッサーはまた、いずれかの通常のプロセッサー等であってもよい。本発明の実施例に関連して開示された方法のステップは、ハードウェアデコードプロセッサーにより実行されて完了するように直接具現化されるか、又はデコードプロセッサーにおけるハードウェア及びソフトウェアモジュールの組み合わせにより実行されて完了することができる。ソフトウェアモジュールは、ランダムアクセスメモリ、フラッシュメモリ、読み取り専用メモリ、プログラマブル読み取り専用メモリ、又は電気的に消去可能なプログラマブルメモリ、レジスタ等の当技術分野の成熟した記録媒体に配置されることができる。この記録媒体はメモリに配置され、プロセッサーはメモリ内の情報を読み取り、そのハードウェアと組み合わせて上記の方法のステップを完了する。
【００９７】
本発明の実施例におけるメモリは、揮発性メモリ又は不揮発性メモリであってもよく、又は揮発性及び不揮発性メモリの両方を含んでもよいことが理解される。ここで、不揮発性メモリは、読み取り専用メモリ（Ｒｅａｄ−Ｏｎｌｙ  Ｍｅｍｏｒｙ：ＲＯＭ）、プログラマブル読み取り専用メモリ（Ｐｒｏｇｒａｍｍａｂｌｅ  ＲＯＭ：ＰＲＯＭ）、消去可能なプログラマブル読み取り専用メモリ（Ｅｒａｓａｂｌｅ  ＰＲＯＭ：ＥＰＲＯＭ）、電気的に消去可能なプログラマブル読み取り専用メモリ（Ｅｌｅｃｔｒｉｃａｌｌｙ  ＥＰＲＯＭ：ＥＥＰＲＯＭ）又はフラッシュメモリであってもよい。揮発性メモリは、外部キャッシュとして使用されるランダムアクセスメモリ（Ｒａｎｄｏｍ  Ａｃｃｅｓｓ  Ｍｅｍｏｒｙ：ＲＡＭ）であってもよい。限定ではなく例として、スタティックランダムアクセスメモリ（Ｓｔａｔｉｃ  ＲＡＭ：ＳＲＡＭ）、ダイナミックランダムアクセスメモリ（Ｄｙｎａｍｉｃ  ＲＡＭ：ＤＲＡＭ）、同期ダイナミックランダムアクセスメモリ（Ｓｙｎｃｈｒｏｎｏｕｓ  ＤＲＡＭ：ＳＤＲＡＭ）、ダブルデータレート同期ダイナミックランダムアクセスメモリ（Ｄｏｕｂｌｅ  Ｄａｔａ  Ｒａｔｅ  ＳＤＲＡＭ：ＤＤＲ  ＳＤＲＡＭ）、拡張同期ダイナミックランダムアクセスメモリ（Ｅｎｈａｎｃｅｄ  ＳＤＲＡＭ：ＥＳＤＲＡＭ）、同期接続ダイナミックランダムアクセスメモリ（Ｓｙｎｃｈｌｉｎｋ  ＤＲＡＭ：ＳＬＤＲＡＭ）、及びダイレクトメモリバスランダムアクセスメモリ（Ｄｉｒｅｃｔ  Ｒａｍｂｕｓ  ＲＡＭ：ＤＲ  ＲＡＭ）等の多くの形式のＲＡＭが利用可能である。本明細書で説明されるシステム及び方法のメモリは、これら及び任意の他の適切なタイプのメモリを含むことが意図されているが、これらに限定されないことに留意されたい。
【００９８】
上記のメモリは例示的なものであり、限定的なものではなく、例えば、本発明の実施例におけるメモリは、スタティックランダムアクセスメモリ（Ｓｔａｔｉｃ  ＲＡＭ：ＳＲＡＭ）、ダイナミックランダムアクセスメモリ（Ｄｙｎａｍｉｃ  ＲＡＭ：ＤＲＡＭ）、同期ダイナミックランダムアクセスメモリ（Ｓｙｎｃｈｒｏｎｏｕｓ  ＤＲＡＭ：ＳＤＲＡＭ）、ダブルデータレート同期ダイナミックランダムアクセスメモリ（Ｄｏｕｂｌｅ  Ｄａｔａ  Ｒａｔｅ  ＳＤＲＡＭ：ＤＤＲ  ＳＤＲＡＭ）、拡張同期ダイナミックランダムアクセスメモリ（Ｅｎｈａｎｃｅｄ  ＳＤＲＡＭ：ＥＳＤＲＡＭ）、同期接続ダイナミックランダムアクセスメモリ（Ｓｙｎｃｈｌｉｎｋ  ＤＲＡＭ：ＳＬＤＲＡＭ）、及びダイレクトメモリバスランダムアクセスメモリ（Ｄｉｒｅｃｔ  Ｒａｍｂｕｓ  ＲＡＭ：ＤＲ  ＲＡＭ）等であってもよいことを理解されたい。つまり、本発明の実施例におけるメモリは、これら及び任意の他の適切なタイプのメモリを含むがこれらに限定されないことが意図されている。
【００９９】
本発明の実施例によれば、コンピュータプログラムを格納するためのコンピュータ読み取り可能な記録媒体がさらに提供される。
【０１００】
選択的に、このコンピュータ読み取り可能な記録媒体は、本発明の実施例におけるネットワークデバイスに適用でき、このコンピュータプログラムは、本発明の実施例に係る各方法においてネットワークデバイスにより実現される対応するフローをコンピュータに実行させ、簡潔にするため、ここで詳細な説明を省略する。
【０１０１】
選択的に、このコンピュータ読み取り可能な記録媒体は、本発明の実施例における端末デバイスに適用でき、このコンピュータプログラムは、本発明の実施例に係る各方法において移動端末／端末デバイスにより実現される対応するフローをコンピュータに実行させ、簡潔にするため、ここで詳細な説明を省略する。
【０１０２】
本発明の実施例によれば、コンピュータプログラム命令を含むコンピュータプログラム製品がさらに提供される。
【０１０３】
選択的に、このコンピュータプログラム製品は、本発明の実施例におけるネットワークデバイスに適用でき、このコンピュータプログラム命令は、本発明の実施例に係る各方法においてネットワークデバイスにより実現される対応するフローをコンピュータに実行させ、簡潔にするため、ここで詳細な説明を省略する。
【０１０４】
選択的に、このコンピュータプログラム製品は、本発明の実施例における端末デバイスに適用でき、このコンピュータプログラム命令は、本発明の実施例に係る各方法において移動端末／端末デバイスにより実現される対応するフローをコンピュータに実行させ、簡潔にするため、ここで詳細な説明を省略する。
【０１０５】
本発明の実施例によれば、コンピュータプログラムがさらに提供される。
【０１０６】
選択的に、このコンピュータプログラムは、本発明の実施例におけるネットワークデバイスに適用でき、このコンピュータプログラムがコンピュータ上で実行されるとき、コンピュータは、本発明の実施例に係る各方法においてネットワークデバイスにより実現される対応するフローを実行し、簡潔にするため、ここで詳細な説明を省略する。
【０１０７】
選択的に、このコンピュータプログラムは、本発明の実施例における端末デバイスに適用でき、このコンピュータプログラムがコンピュータ上で実行されるとき、コンピュータは、本発明の実施例に係る各方法において端末デバイスにより実現される対応するフローを実行し、簡潔にするため、ここで詳細な説明を省略する。
【０１０８】
当業者であれば、本明細書に開示された実施例に関連して説明された各例のユニット及びアルゴリズムステップが、電子ハードウェア、又はコンピュータソフトウェア及び電子ハードウェアの組み合わせで実現できることが認識される。これらの機能がハードウェアで実行されるかソフトウェアで実行されるかは、技術案の特定のアプリケーション及び設計上の制約条件によって異なる。技術者は、特定の用途ごとに不同な方法を使用して記載された機能を実現できるが、このような実現が本発明の範囲を超えると考慮されるべきではない。
【０１０９】
当業者であれば、説明の便宜及び簡潔さのために、上記のシステム、装置、及びユニットの特定の作業プロセスについては、前述の方法の実施例における対応するプロセスを参照でき、ここで詳細な説明を省略することを理解することができる。
【０１１０】
本発明に提供された幾つかの実施例において、開示されたシステム、装置及び方法は、他の方式で実現されてもよいことを理解されたい。例えば、上記のような装置の実施例は、単なる例にすぎず、例えば、前記ユニットの区分は、単なる論理的な機能による区分であり、実際に実現するときは他の区分方式であってもよく、例えば、複数のユニット又はコンポーネントが組み合わされるか又は別のシステムに集積されてもよく、或いは幾つかの特徴が省略され又は実行されなくてもよい。一方、示された又は解説された相互間の結合又は直接的な結合又は通信接続は、幾つかのインターフェイス、装置又はユニットによる間接的な結合又は通信接続であってもよく、電気的に、機械的、又は他の形態であってもよい。
【０１１１】
前記分離部材として説明されたユニットは、物理的に分離されてもよく、物理的に分離されなくてもよく、ユニットとして示された部材は、物理的なユニットであってもよく、物理的なユニットでなくてもよく、同じところに位置してもよく、複数のネットワークユニット上に分散されてもよい。実際の需要に応じて、一部又は全部のユニットを選択し、本実施例の目的を実現することができる。
【０１１２】
なお、本発明の各実施例に係る各機能ユニットは、１つの処理ユニットに集積されていてもよく、各ユニットが単独に物理的に存在していてもよく、２つ又は２つ以上のユニットが１つのユニットに集積されていてもよい。
【０１１３】
前記機能がソフトウェア機能ユニットの形で実現され、且つ独立した製品として販売又は使用される場合には、１つのコンピュータ読み取り可能な記録媒体に格納されることができる。このような理解に基づき、本発明の技術案は本質的に、従来技術に貢献した部分又はこの技術案の一部がソフトウェア製品の状態で具現化されることができ、このコンピュータソフトウェア製品は、１つの記録媒体に格納され、１台のコンピュータデバイス（パーソナルコンピュータ、サーバ、又はネットワークデバイス等であってもよい）に本発明の各実施例に記載の方法のステップの全部又は一部を実行させる命令を若干備える。ここで、前述の記録媒体は、ＵＳＢメモリ、モバイルハードディスク、読み取り専用メモリ（Ｒｅａｄ  Ｏｎｌｙ  Ｍｅｍｏｒｙ：ＲＯＭ）、ランダムアクセスメモリ（Ｒａｎｄｏｍ  Ａｃｃｅｓｓ  Ｍｅｍｏｒｙ：ＲＡＭ）、磁気ディスク、又は光ディスク等のプログラムコードを格納可能な様々な媒体を含む。
【０１１４】
以上は、本発明の特定の実施形態にすぎず、本発明の範囲はこれらに限定されない。この技術分野の当業者であれば、いずれも本発明に提示された技術範囲内で、変更又は置き換えを行うことを容易に想到し得るものがいずれも本発明の範囲に含まれる。したがって、本発明の範囲は、特許請求の範囲により示される。
【図１】
2021530171.tif 000003
【図２】
2021530171.tif 000004
【図３】
2021530171.tif 000005
【図４】
2021530171.tif 000006
【図５】
2021530171.tif 000007
【図６】
2021530171.tif 000008
【図７】
2021530171.tif 000009
【図８】
2021530171.tif 000010
【図９】
2021530171.tif 000011
【図１０】
2021530171.tif 000012
【国際調査報告】
2021530171.tif 000013
2021530171.tif 000014
2021530171.tif 000015
2021530171.tif 000016
2021530171.tif 000017